(57)【要約】【課題】  発電機の負荷パターンの変化があっても該負荷パターンの変化に応じて発電機の発電電力値を自在に変化させて運転可能となって、発電装置の制御を簡単かつ容易化でき、かつ外部からの受電値及び発電機による発電電力の双方を選択利用可能にした発電装置に容易に適用可能な発電機運転制御装置を提供する。【解決手段】  発電電力設定値を遠隔制御端末から通信手段を介して発電機制御盤に伝送し、該発電機制御盤において前記発電電力設定値に基づき算出された発電電力制御信号により発電機を運転制御するように構成された発電機運転制御装置において、前記発電機制御盤は、前記遠隔制御端末からの発電電力設定値に基づき前記発電機の発電電力目標値を算出する発電電力目標値算出手段、前記発電電力設定値を記憶する発電電力設定値記憶手段を有するコンピュータと、該コンピュータから入力される前記発電電力目標値に基づき前記複数台の発電機を運転運転制御する制御シーケンサとを備えてなることを特徴とする。【選択図】    図１
2006087264.tif 000002
【特許請求の範囲】
【請求項１】
発電電力設定値を遠隔制御端末から通信手段を介して発電機制御盤に伝送し、該発電機制御盤において前記発電電力設定値に基づき算出された発電電力制御信号により発電機を運転制御するように構成された発電機運転制御装置において、前記発電機制御盤は、前記遠隔制御端末からの発電電力設定値に基づき前記発電機の発電電力目標値を算出する発電電力目標値算出手段、前記発電電力設定値を記憶する発電電力設定値記憶手段を有するコンピュータと、該コンピュータから入力される前記発電電力目標値に基づき前記複数台の発電機を運転制御する制御シーケンサとを備えてなることを特徴とする発電機運転制御装置。
【請求項２】
前記コンピュータの発電電力設定値記憶手段は、前記発電電力設定値の変更履歴を蓄積するとともに、該変更履歴を前記遠隔制御端末に取り込み可能に構成されてなることを特徴とする請求項１記載の発電機運転制御装置。
【請求項３】
外部からの発電機の運転スケジュールを遠隔制御端末から通信手段を介して発電機制御盤に伝送し、該発電機制御盤において前記発電装置の運転スケジュールに基づき算出された発電電力制御信号により発電機を運転制御するように構成された発電機運転制御装置において、前記発電機制御盤は、前記遠隔制御端末から入力される前記発電装置の運転スケジュールに基づき該運転スケジュールに対応する前記発電装置の必要発電電力目標値を算出する発電電力目標値算出手段、運転スケジュールを記憶する運転スケジュール記憶手段を有するコンピュータと、該コンピュータから入力される前記必要発電電力設定値と前記発電装置の総発電電力とに基づき前記発電機での発電電力制御値を算出し、該発電電力制御値に基づき前記複数台の発電機を運転制御する制御シーケンサとを備えてなることを特徴とする発電機運転制御装置。
【請求項４】
前記コンピュータの発電電力設定値記憶手段は、設定値の変更履歴を蓄積するとともに、該変更履歴を前記遠隔制御端末に取り込み可能に構成されてなることを特徴とする請求項３記載の発電機運転制御装置。
【請求項５】
前記遠隔制御端末は、外部からの発電電力設定値を前記コンピュータに入力する発電電力設定値入力手段と、前記発電装置の運転スケジュールを前記コンピュータに入力する運転スケジュール入力手段とを備えてなることを特徴とする請求項３記載の発電機運転制御装置。
【請求項６】
前記コンピュータは、前記発電装置の運転スケジュールを発電優先及び受電優先の２つに分けてそのいずれかを選出可能にした運転スケジュール設定手段を備え、該コンピュータの発電電力目標値算出手段は、前記運転スケジュール入力手段からの運転スケジュールあるいは前記運転スケジュール設定手段の運転スケジュールのいずれか一方または双方を取り込み可能に構成されてなることを特徴とする請求項５記載の発電機運転制御装置。
【発明の詳細な説明】
【技術分野】
【０００１】
本発明は、外部からの受電値及び発電機による発電電力の双方を選択利用可能にした発電装置に適用され、発電制御値を遠隔制御端末から通信手段を介して発電機制御盤に伝送し、該発電機制御盤において前記発電制御値に基づき算出された発電機運転制御信号により１台または複数台の発電機を運転制御するように構成された発電機運転制御装置に関する。
【背景技術】
【０００２】
中央制御室内に設置された遠隔制御用の遠隔制御端末から、複数の発電機が設置された発電設備の発電電力を制御するようにした発電機運転制御装置の１つとして、特許文献１（特開平１１−２６２２９８号公報）の技術が提供されている。
かかる技術においては、発電機の励磁を制御する励磁コントローラにおいて、現地端末から送られてきた制御パラメータに基づいて制御関数を調整し、遠隔制御端末において通信回線を介して現地端末から送られた発電機の制御要目を表示装置に表示し、かつ制御パラメータの設定変更を行い、設定変更された制御パラメータを通信回線を介して現地端末と中央監視制御盤に送出するように構成されている。
【０００３】
【特許文献１】特開平１１−２６２２９８号公報
【発明の開示】
【発明が解決しようとする課題】
【０００４】
しかしながら、前記特許文献１（特開平１１−２６２２９８号公報）の技術にあっては、大規模な発電所における発電機の運転制御を対象としていることから、制御の遅れをカバーするため、発電機の励磁を制御する際には、励磁コントローラからの制御パラメータを中央監視制御盤とともに、通信回線を介して現地端末に直接送っている。
このため、かかる従来技術にあっては、発電機の負荷パターンが変化する毎に発電機側端末（現地端末）の制御パラメータを変更する必要があり、発電装置の制御が煩雑となって制御性が低下する。
また、かかる従来技術にあっては、外部からの受電値及び発電機による発電電力の双方を選択利用可能にした発電装置への適用については開示されていない。
【０００５】
本発明はかかる従来技術の課題に鑑み、発電機の負荷パターンの変化があっても該負荷パターンの変化に応じて発電機の発電電力値を自在に変化させて運転可能となって、発電装置の制御を簡単かつ容易化でき、かつ外部からの受電値及び発電機による発電電力の双方を選択利用可能にした発電装置に容易に適用可能な発電機運転制御装置を提供することを目的とする。
【課題を解決するための手段】
【０００６】
本発明はかかる目的を達成するもので、発電電力設定値を遠隔制御端末から通信手段を介して発電機制御盤に伝送し、該発電機制御盤において前記発電電力設定値に基づき算出された発電電力制御信号により発電機を運転制御するように構成された発電機運転制御装置において、前記発電機制御盤は、前記遠隔制御端末からの発電電力設定値に基づき前記発電機の発電電力目標値を算出する発電電力目標値算出手段、前記発電電力設定値を記憶する発電電力設定値記憶手段を有するコンピュータと、該コンピュータから入力される前記発電電力目標値に基づき前記複数台の発電機を運転制御する制御シーケンサとを備えてなることを特徴とする。
【０００７】
かかる発明によれば、発電機制御盤のコンピュータにおいて、遠隔制御端末からの発電電力設定値に基づき複数台の発電機の発電電力目標値を算出し前回の発電電力目標値を更新して蓄積し、かかる更新を行った後の発電電力目標値を制御シーケンサに自動的に書き込み、該制御シーケンサにより発電機に発電電力値を出力して該発電機を運転制御するように構成されているので、従来技術のように発電機の負荷パターンの変化による発電機側端末の制御パラメータの変更を必要とせずに、発電機の負荷パターンの変化に応じて、該発電機の発電電力値を自在に変化させて運転でき、発電装置の制御を簡単かつ容易化できる。
【０００８】
かかる発明において好ましくは、前記コンピュータの発電電力設定値記憶手段は、前記発電電力設定値の変更履歴を蓄積するとともに、該変更履歴を前記遠隔制御端末に取り込み可能に構成されてなる。
このように構成すれば、発電電力設定値の変更履歴を発電電力設定値記憶手段に記憶させ、この変更履歴を発電機の機側及び遠隔制御端末側から確認できるので、発電電力の変化を発電機の機側及び遠隔制御端末側の双方から把握でき、信頼性、安全性が向上する。
【０００９】
また本発明は、外部からの発電機の運転スケジュールを遠隔制御端末から通信手段を介して発電機制御盤に伝送し、該発電機制御盤において前記発電装置の運転スケジュールに基づき算出された発電電力制御信号により発電機を運転制御するように構成された発電機運転制御装置において、前記発電機制御盤は、前記遠隔制御端末から入力される前記発電装置の運転スケジュールに基づき該運転スケジュールに対応する前記発電装置の必要発電電力目標値を算出する発電電力目標値算出手段、運転スケジュールを記憶する運転スケジュール記憶手段を有するコンピュータと、該コンピュータから入力される前記必要発電電力設定値と前記発電装置の総発電電力とに基づき前記発電機での発電電力制御値を算出し、該発電電力制御値に基づき前記複数台の発電機を運転制御する制御シーケンサとを備えてなることを特徴とする。
【００１０】
かかる発明によれば、発電機制御盤のコンピュータにおいて、遠隔制御端末から入力される外部からの発電機の運転スケジュールに基づき、運転スケジュールに対応する必要発電電力目標値を算出し、前回の必要発電電力目標値を更新して、かかる更新を行った後の必要発電電力目標値を制御シーケンサに自動的に書き込み、該制御シーケンサにおいて前記必要発電電力目標値と発電装置の総発電電力とに基づき複数台の発電機での目標発電電力を算出し、発電機に前記目標発電電力値を出力して該発電機を運転制御するように構成されているので、運転スケジュールを発電機制御盤のコンピュータに入力するのみで、複数台の発電機を前記目標発電電力にて自動的に運転制御できる。
また、発電機の負荷パターンの変化があっても、更新を行った後の必要発電電力目標値を随時コンピュータから取り出して、該発電機の発電電力値を自在に変化させて運転でき、従来技術のように発電機の負荷パターンの変化による発電機側端末の制御パラメータの変更を必要としない。
【００１１】
かかる発明において好ましくは、前記コンピュータの発電電力設定値記憶手段は、設定値の変更履歴を蓄積するとともに、該変更履歴を前記遠隔制御端末に取り込み可能に構成されてなる。
このように構成すれば、外部からの発電電力設定値の変更履歴を発電電力設定値記憶手段に記憶させ、この変更履歴を発電機の機側及び遠隔制御端末側から確認できるので、発電電力の変化を発電機の機側及び遠隔制御端末側の双方から把握でき、信頼性、安全性が向上する。
【００１２】
前記遠隔制御端末は、外部からの発電電力設定値を前記コンピュータに入力する発電電力設定値入力手段と、前記発電装置の運転スケジュールを前記コンピュータに入力する運転スケジュール入力手段とを備えてなる。
このように構成すれば、運転スケジュールを、発電機の機側及び遠隔制御端末側の双方からコンピュータに入力できるので、制御の自由度が広がり、制御性が向上する。
【００１３】
また、かかる発明において好ましくは、前記コンピュータは、前記発電装置の運転スケジュールを発電優先及び受電優先の２つに分けてそのいずれかを選出可能にした運転スケジュール設定手段を備え、該コンピュータの発電電力目標値算出手段は、前記運転スケジュール入力手段からの運転スケジュールあるいは前記運転スケジュール設定手段の運転スケジュールのいずれか一方または双方を取り込み可能に構成されてなる。
このように構成すれば、発電装置の運転スケジュールを、発電機側の発電電力を受電電力よりも大きくする発電優先と、及び受電電力を発電機側の発電電力よりも大きくする受電優先との２つに分け、発電優先あるいは受電優先のいずれかをコンピュータの受電設定値算出手段に入力するのみで、複数台の発電機を発電優先モードあるいは受電優先モードの目標発電電力にて自動的に運転制御でき、発電機の運転制御を簡単化できる。
【発明の効果】
【００１４】
本発明によれば、発電機制御盤のコンピュータにおいて、遠隔制御端末から入力される外部からの発電機の運転スケジュールに基づき、外部からの発電機の運転スケジュールに基づき、必要運転スケジュールに対応する必要発電電力目標値を算出し、前回の運転スケジュールに対応する必要発電電力目標値を更新して蓄積し、かかる更新を行った後の発電電力目標値を制御シーケンサに自動的に書き込み、該制御シーケンサにより発電機に発電電力値を出力して該発電機を運転制御するように構成されているので、発電機の負荷パターンの変化による発電機側端末の制御パラメータの変更を必要とせずに、発電機の負荷パターンの変化に応じて、該発電機の発電電力値を自在に変化させて運転でき、発電装置の制御を簡単かつ容易化できる。
また、発電機の負荷パターンの変化があっても、更新を行った後の必要発電電力目標値を随時コンピュータから取り出して、該発電機の発電電力値を自在に変化させて運転でき、従来技術のように発電機の負荷パターンの変化による発電機側端末の制御パラメータの変更を必要としない。
【発明を実施するための最良の形態】
【００１５】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１６】
図２は本発明の実施例に係る発電機制御装置の全体構成図であり、図において、１００は中央制御室であり、後述する制御信号を伝送するための遠隔制御端末１を備えている。１０３は発電機で、この例では３個のＮｏ．１発電機盤４、Ｎｏ．２発電機盤５、Ｎｏ．３発電機盤６の３個（１個でも複数個でもよい）の発電機盤を備えている。
１０１は前記発電機１０３を運転制御する発電機制御盤で、前記遠隔制御端末１から入力される外部からの受電値及び発電機の運転スケジュールに基づき後述する演算、制御を行うパネルコンピュータ２及び該パネルコンピュータ２からの制御パラメータによって前記Ｎｏ．１発電機盤４、Ｎｏ．２発電機盤５、Ｎｏ．３発電機盤６を制御する制御シーケンサ３を備えている。
【００１７】
図１は前記実施例に係る発電機制御装置の制御ブロック図であり、図１において、前記遠隔制御端末１には外部からの受電値を前記パネルコンピュータ２に入力する発電電力設定値入力手段１１及び前記発電機１０３の運転スケジュール１２を前記パネルコンピュータ２に入力する運転スケジュール入力手段１２を備えている。
前記運転スケジュール入力手段１２は、発電機１０３の運転日及び運転時間帯をパネルコンピュータ２に入力するものであり、前記発電電力設定値入力手段１１は該運転スケジュール入力手段１２から入力される運転日及び運転時間帯によって決められる受電値即ち受電一定値をパネルコンピュータ２に入力するものである。
【００１８】
前記運転スケジュール入力手段１２からの運転日及び運転時間帯の入力信号及び前記発電電力設定値入力手段１１からの発電電力設定値は電話線等の通信手段を介してパネルコンピュータ２の発電電力目標値演算部２１に入力される。
該発電電力目標値演算部２１においては、前記運転スケジュール入力手段１２から入力される運転日及び運転時間帯によって、発電機１０３側の発電電力を外部からの受電電力よりも大きくする発電優先とするか、外部からの受電電力を発電機１０３側の発電電力よりも大きくする受電優先とするかが予め設定されており、該発電電力目標値演算部２１においては、前記運転スケジュール入力手段１２からの運転スケジュールと前記発電電力設定値入力手段１１からの発電電力設定値とにより、前記発電優先あるいは受電優先のいずれかを選択して、該運転スケジュールに対応する発電装置の必要受電設定値を算出する。
【００１９】
また、前記運転スケジュールは、パネルコンピュータ２に設置された運転スケジュール記憶部２２からも前記発電電力目標値演算部２１に入力可能となっている。
このように構成すれば、運転スケジュールを、発電機１０３の機側であるパネルコンピュータ２内及び遠隔制御端末１側の双方から該パネルコンピュータ２に入力できるので、制御の自由度が広がり、制御性が向上する。
【００２０】
また、前記発電電力目標値演算部２１においては、運転スケジュール及び発電電力設定値により設定した必要受電設定値を含む発電電力制御値を発電電力設定値記憶部２３に出力し、該発電電力設定値記憶部２３に記憶されている前回の発電電力目標値を更新し、かかる更新を行った後の必要発電電力目標値を制御シーケンサ３の発電電力制御値演算部３１に入力する。
該発電電力制御値演算部３１においては、前記必要受電設定値Ｐ及び総負荷設定手段３２に設定されている運転総負荷Ｌと、発電機運転台数設定部３３に設定されている現在の発電機運転台数Ｎとにより、次の（１）式で発電機１０３の発電による発電機１台当たりの目標電力Ｗを算出する。
Ｗ＝（Ｌ−Ｐ）／Ｎ
従って、前記発電電力制御値演算部３１で算出された目標電力Ｗが、発電機１０３のＮｏ．１発電機盤４、Ｎｏ．２発電機盤５、Ｎｏ．３発電機盤６に入力され、Ｎｏ．１発電機盤４、Ｎｏ．２発電機盤５、Ｎｏ．３発電機盤６の発電機は前記目標電力Ｗで運転される。
【００２１】
かかる実施例によれば、発電機制御盤１０１のパネルコンピュータ２において、遠隔制御端末１から入力される発電電力設定値及び発電装置の運転スケジュールに基づき、該運転スケジュールに対応する発電電力目標値を算出し、この算出値により前回の発電電力目標値を更新して、かかる更新を行った後の必要発電電力目標値を制御シーケンサ３に自動的に書き込み、該制御シーケンサ３において前記発電電力目標値と発電装置の総発電電力とに基づき複数台の発電機での目標発電電力Ｗを算出し、発電機１０３の発電機盤４、５、６に前記目標発電電力値Ｗを出力して該発電機１０３を運転制御するように構成されているので、運転スケジュールとこれに対応する外部からの受電値を発電機制御盤１０１のパネルコンピュータ２に入力するのみで、複数台の発電機１０３を前記目標発電電力Ｗにて自動的に運転制御できる。
また、発電機１０３の負荷パターンの変化があっても、更新を行った後の必要発電電力目標値を随時パネルコンピュータ２から取り出して、該発電機１０３の発電電力値を自在に変化させて運転でき、従来技術のように発電機の負荷パターンの変化による発電機側端末の制御パラメータの変更を必要としない。
【００２２】
また、前記パネルコンピュータ２の発電電力設定値記憶部２３は、前記必要発電電力目標値の変更履歴を蓄積するとともに、該変更履歴を前記発電電力目標値演算部２１及び前記遠隔制御端末１の双方に取り込み可能に構成されているので、発電電力目標値の変更履歴を発電電力設定値記憶部２３に記憶させ、この変更履歴を発電機の機側及び遠隔制御端末側から確認できる。即ち、発電電力の変化を発電機１０３の機側及び遠隔制御端末１側の双方から把握できることとなり、信頼性、安全性が向上する。
【００２３】
また、かかる実施例によれば、前記パネルコンピュータ２は、発電装置の運転スケジュールを発電優先及び受電優先の２つに分けてそのいずれかを選出可能にし、運転スケジュール入力手段１２からの運転スケジュール入力値あるいは運転スケジュール記憶部２２の運転スケジュールのいずれか一方を取り込み可能に構成されているので、発電装置の運転スケジュールを、発電機１０３側の発電電力を受電電力よりも大きくする発電優先と、受電電力を発電機側の発電電力よりも大きくする受電優先との２つに分け、発電優先あるいは受電優先のいずれかをパネルコンピュータ２の発電電力目標値演算部２１に入力するのみで、複数台の発電機１０３を発電優先モードあるいは受電優先モードの目標発電電力Ｗにて自動的に運転制御でき、発電機１０３の運転制御を簡単化できる。
【産業上の利用可能性】
【００２４】
本発明によれば、発電機の負荷パターンの変化があっても該負荷パターンの変化に応じて発電機の発電電力値を自在に変化させて運転可能となって、発電装置の制御を簡単かつ容易化でき、かつ外部からの受電値及び発電機による発電電力の双方を選択利用可能にした発電装置に容易に適用可能な発電機運転制御装置を提供できる。
【図面の簡単な説明】
【００２５】
【図１】本発明の実施例に係る発電機制御装置の制御ブロック図である。
【図２】前記実施例における全体構成図である。
【符号の説明】
【００２６】
１００    中央制御室
１０１    発電機制御盤
１０３    発電機
１    遠隔制御端末
２    パネルコンピュータ
３    制御シーケンサ
４、５、６    発電機盤
【図１】
2006087264.tif 000003
【図２】
2006087264.tif 000004